(57)【要約】【課題】  印刷効果処理を施した画像であっても、容易に同一画質での再印刷を容易にし、画像を探し出す手間を省くことができるようにする。【解決手段】  印刷装置によって印刷可能な用紙等の記録媒体１００は、印刷時に使用したオリジナル画像データ及び印刷設定情報からなるデータ１０２を記録するＩＣタグ等のＲＦＩＤ（Radio Frequency Identification）タグ１０１を具備する。印刷装置２００は、オリジナル画像データ及び印刷設定情報からなるデータ１０２を記録するＩＣタグ等のＲＦＩＤタグ１０１からオリジナル画像データ及び印刷設定情報を読み込むことにより、そのオリジナル画像データ及び印刷設定情報に基づいて印刷を実行することができる。【選択図】  図１
2006082490.tif 000002
【特許請求の範囲】
【請求項１】
画像を印刷するための記録媒体であって、
印刷された画像のオリジナル画像データ及び印刷時の印刷設定情報が記録可能な通信装置を具備することを特徴とする記録媒体。
【請求項２】
前記印刷設定情報はトリミング情報及び色効果の少なくともいずれかを含むことを特徴とする請求項１に記載の記録媒体。
【請求項３】
前記通信装置はＲＦＩＤタグであることを特徴とする請求項１又は２に記載の記録媒体。
【請求項４】
画像の印刷面ではない面に、前記通信装置が埋め込まれていることを認識するためのマーク又は文字が記録されていることを特徴とする請求項１〜３のいずれか１項に記載の記録媒体。
【請求項５】
記録部を有する通信装置を具備した記録媒体に画像を印刷する印刷手段と、
前記印刷手段により印刷した画像のオリジナル画像データ及び印刷時の印刷設定情報を前記通信装置に書き込む書き込み手段とを備えたことを特徴とする印刷装置。
【請求項６】
印刷された画像のオリジナル画像データ及び印刷時の印刷設定情報が記録された通信装置を具備した記録媒体からオリジナル画像データ及び印刷設定情報を読み込む読み込み手段と、
前記読み込み手段により読み込まれたオリジナル画像データ及び印刷設定情報に基づいて印刷を実行する印刷手段とを備えることを特徴とする印刷装置。
【請求項７】
前記印刷設定情報はトリミング情報及び色効果の少なくともいずれかを含むことを特徴とする請求項５又は６に記載の印刷装置。
【請求項８】
前記通信装置はＲＦＩＤタグであることを特徴とする請求項５〜７のいずれか１項に記載の印刷装置。
【請求項９】
記録部を有する通信装置を具備した記録媒体に画像を印刷する手順と、
前記印刷した画像のオリジナル画像データ及び印刷時の印刷設定情報を前記通信装置に書き込む手順とを有することを特徴とする印刷方法。
【請求項１０】
印刷された画像のオリジナル画像データ及び印刷時の印刷設定情報が記録された通信装置を具備した記録媒体からオリジナル画像データ及び印刷設定情報を読み込む手順と、
前記読み込まれたオリジナル画像データ及び印刷設定情報に基づいて印刷を実行する手順とを有することを特徴とする印刷方法。
【請求項１１】
印刷装置を制御するためのコンピュータプログラムであって、
記録部を有する通信装置を具備した記録媒体に画像を印刷する処理と、
前記印刷した画像のオリジナル画像データ及び印刷時の印刷設定情報を前記通信装置に書き込む処理とをコンピュータに実行させることを特徴とするコンピュータプログラム。
【請求項１２】
印刷装置を制御するためのコンピュータプログラムであって、
印刷された画像のオリジナル画像データ及び印刷時の印刷設定情報が記録された通信装置を具備した記録媒体からオリジナル画像データ及び印刷設定情報を読み込む処理と、
前記読み込まれたオリジナル画像データ及び印刷設定情報に基づいて印刷を実行する処理とをコンピュータに実行させることを特徴とするコンピュータプログラム。
【発明の詳細な説明】
【技術分野】
【０００１】
本発明は、画像を印刷するための記録媒体、印刷装置及び方法、並びにコンピュータプログラムに関する。
【背景技術】
【０００２】
デジタルカメラの普及とカラープリンタの高画質化に伴い、個人による写真の印刷利用が増えている。写真の印刷おいては、ユーザは好みの色味等に変更しながら印刷を行うことも多い。
【０００３】
また、従来の銀塩写真の場合と同様に、デジタルカメラで撮影後印刷した写真を再印刷するケースも増えている。この場合、写真を再印刷するために、まず写真の画像を見てパーソナルコンピュータ上で画像データを検索し、写真から推測して画像データを印刷するための印刷設定情報を決定し、印刷している。しかしながら、場合によっては、印刷設定情報が元の写真を印刷したときの設定と異なり、不満足な写真で妥協するか、元の写真を印刷できるまで印刷設定情報を決定しなおし何度も印刷するしかない。
【０００４】
また、印刷の形態としてデジタルカメラとプリンタ、パーソナルコンピュータとプリンタの構成が考えられるが、いずれのケースにおいても写真を印刷したときの画像が記憶されている記録媒体自体どこにあるか検索できず、ユーザが手をこまねいているケースもある。
【０００５】
印刷物は時間が経つと印刷の品質が下がり、再度印刷したくなるが、この要件に関しても従来の技術ではまったく印刷した時点での印刷効果を再現することが難しい。
【０００６】
これらの問題解決の手段として、特許文献１「記録材料及び撮影装置」では、ＩＣタグが設けられている記録材料に対して、プリンタを内蔵した撮影装置によって被写体を撮影しその画像を記録材料に印刷しつつ画像データと撮影情報を記録することにより、写真画像から画像データを容易に検索する手段が記載されている。
【０００７】
また、特許文献２「ビデオ信号記録再生装置及びビデオプリンタ」では、ビデオプリンタでの再印刷を容易にしているが、写真画像とオリジナル画像データが入っているビデオテープの両方を使用しなければならない。
【０００８】
【特許文献１】特開２００４−７２１４６号公報
【特許文献２】特許第２９２５１９９号公報
【発明の開示】
【発明が解決しようとする課題】
【０００９】
しかしながら、特許文献１の「記録材料及び撮影装置」では、画像データの検索は容易になるが、取得した画像に対してユーザが好むトリミング処理を行ったり、色効果を付加したりする印刷を行うことができず、印刷をさらに容易に再現させることはできない。
【００１０】
また、特許文献２の「ビデオ信号記録再生装置及びビデオプリンタ」では、印刷の再現を容易にしているが、写真と画像とオリジナル画像データが入っているビデオテープの２つのメディアが必要になり、写真があってもこの写真を印刷したビデオテープを探し出すのは容易で無い。
【００１１】
そこで本発明では、トリミング処理や色効果等の印刷効果処理を施した画像であっても、容易に同一画質での再印刷を容易にし、画像を探し出す手間を省くことができるようにすることを目的とする。
【課題を解決するための手段】
【００１２】
本発明の記録媒体は、画像を印刷するための記録媒体であって、印刷された画像のオリジナル画像データ及び印刷時の印刷設定情報が記録可能な通信装置を具備する点に特徴を有する。
本発明の印刷装置は、記録部を有する通信装置を具備した記録媒体に画像を印刷する印刷手段と、前記印刷手段により印刷した画像のオリジナル画像データ及び印刷時の印刷設定情報を前記通信装置に書き込む書き込み手段とを備えた点に特徴を有する。
また、本発明の他の印刷装置は、印刷された画像のオリジナル画像データ及び印刷時の印刷設定情報が記録された通信装置を具備した記録媒体からオリジナル画像データ及び印刷設定情報を読み込む読み込み手段と、前記読み込み手段により読み込まれたオリジナル画像データ及び印刷設定情報に基づいて印刷を実行する印刷手段とを備える点に特徴を有する。
本発明の印刷方法は、記録部を有する通信装置を具備した記録媒体に画像を印刷する手順と、前記印刷した画像のオリジナル画像データ及び印刷時の印刷設定情報を前記通信装置に書き込む手順とを有する点に特徴を有する。
また、本発明の他の印刷方法は、印刷された画像のオリジナル画像データ及び印刷時の印刷設定情報が記録された通信装置を具備した記録媒体からオリジナル画像データ及び印刷設定情報を読み込む手順と、前記読み込まれたオリジナル画像データ及び印刷設定情報に基づいて印刷を実行する手順とを有する点に特徴を有する。
本発明のコンピュータプログラムは、印刷装置を制御するためのコンピュータプログラムであって、記録部を有する通信装置を具備した記録媒体に画像を印刷する処理と、前記印刷した画像のオリジナル画像データ及び印刷時の印刷設定情報を前記通信装置に書き込む処理とをコンピュータに実行させる点に特徴を有する。
本発明の他のコンピュータプログラムは、印刷装置を制御するためのコンピュータプログラムであって、印刷された画像のオリジナル画像データ及び印刷時の印刷設定情報が記録された通信装置を具備した記録媒体からオリジナル画像データ及び印刷設定情報を読み込む処理と、前記読み込まれたオリジナル画像データ及び印刷設定情報に基づいて印刷を実行する処理とをコンピュータに実行させる点に特徴を有する。
【発明の効果】
【００１３】
本発明によれば、印刷した画像を再度印刷を行う際にオリジナル画像データを検索する手間が省け、且つ、印刷した画像と同一の印刷設定（例えばトリミングや色効果）を持った印刷物を容易に取得することができる。
【発明を実施するための最良の形態】
【００１４】
以下、添付図面を参照して、本発明の好適な実施形態について説明する。
＜印刷と記録＞
図１は本発明を適用した印刷用記録媒体である。１００は印刷装置によって印刷可能な用紙等の記録媒体であり、印刷時に使用したオリジナル画像データ及び印刷設定情報からなるデータ１０２を記録するＩＣタグ等のＲＦＩＤ（Radio Frequency Identification）タグ１０１を具備する。
【００１５】
ＲＦＩＤタグ１０１は、記録部、送信部、受信部等の機能を有するＩＣチップとそれに接続するコイル状のアンテナから構成されるもので、ＩＣチップの記憶部にデータ１０２を記録する。ＲＦＩＤタグ１０１は、記録媒体１００の表面に見えないように内蔵されている。この場合に、画像の印刷面ではない面（裏面）に、ＲＦＩＤタグ１０１が埋め込まれていることを認識するためのマーク又は文字を記録しておくとよい。このように画像を再現するためにＲＦＩＤタグ１０１の位置を認識しやすくするのは便利であるが、画像上に何らかのマークや文字等を合成するのは好ましくない。そこで、画像の印刷面ではない面（裏面）にマークや文字等を記載しておけば、印刷の品位を損なうことなく、画像再現のためのＲＦＩＤタグ１０１の位置が認識しやすくなる。
【００１６】
図２は、記録媒体１００に印刷し、且つ、ＲＦＩＤタグ１０１にデータ１０２を記録し、データ１０２を読み出すことのできる印刷装置２００の構成を示す図である。
【００１７】
２０１は印刷装置２００の中央制御を行うＣＰＵである。２０４は記録媒体に印刷を行う印刷部である。２０５はユーザに印刷設定入力、印刷設定表示、印刷状況表示、エラー表示を行うためのＵＩ表示/操作部である。
【００１８】
２０６は記録媒体１００が具備するＲＦＩＤタグ１０１にオリジナル画像データや印刷設定情報を書き込むためのＲＦＩＤ書き込み部である。２０７はＲＦＩＤタグ１０１に記録されたオリジナル画像データや印刷設定情報を読み込むためのＲＦＩＤ読み込み部である。
【００１９】
２０８は通信Ｉ/Ｆであり、オリジナル画像データを印刷装置２００にどのように印刷するかを示す印刷設定情報を送信する印刷ホスト２０９と接続通信する。
【００２０】
２０３はＲＯＭであり、印刷部２０４の印刷制御、ＵＩ表示/操作部２０５の表示制御、操作部制御、ＲＦＩＤ書き込み部２０６のＲＦＩＤ書き込み制御、ＲＦＩＤ読み込み部２０７のＲＦＩＤ読み込み制御、通信Ｉ/Ｆ２０８を用いた印刷ホスト２０９との通信制御、通信Ｉ/Ｆ２０８を介して受信したデータの解析制御、画像データを印刷設定設定情報に応じて画像処理する制御のためのプログラムを少なくとも記録する。
【００２１】
２０４はＲＡＭであり、印刷部２０４の印刷制御、ＵＩ表示/操作部２０５の表示制御、操作部制御、ＲＦＩＤ書き込み部２０６のＲＦＩＤ書き込み制御、ＲＦＩＤ読み込み部２０７のＲＦＩＤ読み込み制御、通信Ｉ/Ｆ２０８を用いた印刷ホスト２０９との通信制御、通信Ｉ/Ｆ２０８を介して受信したデータの解析制御、画像データを印刷設定設定情報に応じて画像処理する制御に使用される一時的なデータを保持する。
【００２２】
印刷装置２００と印刷ホスト２０９に利用される印刷通信制御プロトコルには既知のプロトコルを用い、オリジナル画像データや印刷設定情報の送受信、及び印刷開始依頼を行う。印刷装置が解釈できる画像フォーマットはＪＰＥＧ、ＴＩＦＦであり、印刷効果情報のフォーマットはＸＭＬ形式であり、物理的な通信としてＵＳＢを用いる。
【００２３】
図３において、３００はデジタルカメラであり、操作部材３０１と、再生画像及び文字、記号を表示させる表示装置３０２とを具備し、不図示であるが画像記録媒体を装着することができ、その画像記録媒体に記録された画像データを再生表示し、ＵＳＢケーブル３０３を介して印刷装置３０４（印刷装置２００に相当）に画像データを印刷させることができる。
【００２４】
以下、デジタルカメラ３００が図２の印刷ホスト２０９である場合の印刷開始を行うためのシーケンスを説明する。
【００２５】
図４はデジタルカメラ３００で任意の画像を再生処理し、表示装置３０２に表示された画像を印刷実行する場合のシーケンスである。デジタルカメラ３００で印刷効果を選択するユーザの入力を待ち（ステップＳ４０１）、印刷効果が選択されたか、もしくは、既定値が用いられるかの判断を行う（ステップＳ４０２）。
【００２６】
印刷効果にはトリミングと色効果があり、印刷効果がトリミングの場合には、デジタルカメラ３００が具備する操作部３０２を使用してトリミング情報が入力され（ステップＳ４０３）、トリミング情報の設定が完了したら（ステップＳ４０４）、そのトリミング情報を保持する（ステップＳ４０５）。トリミング情報の再決定が必要な場合にはステップＳ４０２に戻り、再度トリミング情報が入力される。
【００２７】
印刷効果が色効果の場合には、"淡い色"、"濃い色"のいずれかがユーザにより選択入力され（ステップＳ４０６）、選択された色効果を判断して（ステップＳ４０７）、選択された色効果が"淡い色"であれば"淡い色"を色効果として設定し（ステップＳ４０８）、選択された色効果が"濃い色"であれば"濃い色"を色効果として設定し（ステップＳ４１０）、設定された色効果を保持する（ステップＳ４１０）。
【００２８】
その後、設定した印刷効果を再度設定するかどうかについてユーザからの入力を待ち（ステップＳ４１１）、再入力するか否かのであるかどうかの判断をする（ステップＳ４１２）。印刷効果の再入力があればステップＳ４０１へ戻り、再入力の必要がなければユーザが設定したトリミング情報や色効果、もしくは、規定値であるトリミング情報や色効果を印刷設定情報として印刷装置２００が解釈できるＸＭＬ形式に変換し（ステップＳ４１３）、その変換した印刷設定情報とオリジナル画像データを印刷装置２００に送信する（ステップＳ４１４）。
【００２９】
ここで、トリミング情報について図５を参照して説明する。５０１はオリジナル画像であり、オリジナル画像横幅５０２とオリジナル画像縦幅５０３からなる大きさを持つ。５０４はトリミング枠であり、トリミング横幅５０５とトリミング縦幅５０６からなる大きさを持つ。トリミング枠５０４はオリジナル画像５０１のトリミング横位置５０７とトリミング縦位置５０８にトリミング枠５０４の左下が位置するようになる。オリジナル画像縦幅５０２、オリジナル画像横幅５０３、トリミング横幅５０５、トリミング縦幅５０６、トリミング横位置５０７、トリミング縦位置５０８が総じてトリミング情報であり、トリミング情報があればオリジナル画像データから常に同一の画像をトリミングして取り出すことが可能になる。
【００３０】
図６はデジタルカメラ３００で生成したオリジナル画像データと印刷設定情報を通信Ｉ/Ｆ２０８を介して受信し、印刷装置２００が画像の印刷とＲＦＩＤタグ１０１にオリジナル画像データの書き込みと印刷設定情報を書き込むシーケンスである。
【００３１】
デジタルカメラ３００で生成したオリジナル画像データと印刷設定情報を通信Ｉ/Ｆ２０８を介して受信し（ステップＳ６０１）、一時記憶する（ステップＳ６０２）。そして、印刷設定情報があるかどうかの判断を行う（ステップＳ６０３）。その結果、印刷効果でトリミングの設定がある場合には、受信した印刷設定情報が持つトリミング情報を用いて、オリジナル画像データから図５のようにトリミング枠５０４部分を一次画像データとして取り出すトリミング処理を行う（ステップＳ６０４）。また、印刷効果で色効果の設定がある場合には、色効果処理を実施する（ステップＳ６０５）。色効果の設定が"淡い色"の場合には全体的に印刷する画像が淡い色になるように色味変換を施し、"濃い色"の場合には全体的に印刷する画像濃い色になるように色味変換を施す。
【００３２】
印刷効果が全て処理されたかどうかを判断し（ステップＳ６０６）、全て終了していた場合には印刷装置２００の印刷部２０４を用いて印刷するための二次画像データを生成する処理を一次画像データに対して行う（ステップＳ６０７）。
【００３３】
続いて、印刷装置２００に給紙してある記録媒体をフィードし（ステップＳ６０８）、給紙した記録媒体にＲＦＩＤタグ１０１があるかどうかの判断を行う（ステップＳ６０９）。その結果、ＲＦＩＤタグ１０１を具備した記録媒体１００である場合には、ＲＦＩＤタグ１０１にオリジナル画像データと印刷設定情報を印刷装置２００が受信したフォーマットで書き込むとともに（ステップＳ６１０）、印刷部２０４にてステップＳ６０７にて生成した印刷用の画像データの印刷を実行する（ステップＳ６１１）。
【００３４】
これにより、デジタルカメラ３００よりユーザが指定した画像をユーザの意図する印刷設定情報を基に、印刷装置２００を用いて記録媒体１００に印刷し、その印刷されたオリジナル画像データと印刷設定情報を記録する印刷物を生成することができる。
【００３５】
本実施形態では、記録媒体１００が具備するＲＦＩＤタグ１０１を用いて説明したが、非接触型記憶媒体でも実施することが可能である。また、印刷設定情報としてトリミング効果と色効果について説明したが、それ以外にも両面印刷、モノトーン効果、ＶＩＶＩＤ効果等の公知の印刷効果を採用することができる。
【００３６】
また、印刷ホスト２０９としてデジタルカメラ３００を説明したが、同等な通信手段を有するパーソナルコンピュータでも容易に実現できることは説明するまでも無い。
【００３７】
＜再印刷＞
次に、ＲＦＩＤタグ１０１にオリジナル画像データと印刷設定情報を記録した印刷物を用いて再印刷する例を説明する。図７は印刷装置２００の具体的構成例を示す断面図である。７０１は給紙トレイであり、７０２はＲＦＩＤタグを具備する記録媒体（図１を参照）であり、７０３はＲＦＩＤタグにオリジナル画像データ、印刷設定情報を書き込むためのＲＦＩＤ書き込み装置であり、７０４は印刷部であり、７０５は排紙トレイであり、７０６はＲＦＩＤタグからオリジナル画像データ、印刷設定情報を読み込むためのＲＦＩＤ読み込み部であり、７０７は印刷装置を利用するユーザの設定、状態表示、エラー表示を行うためのＵＩ表示/操作部である。
【００３８】
図８は記録媒体１００を用いて印刷装置２００で記録印刷されたオリジナル画像データと印刷設定情報を具備する印刷物を、ＲＦＩＤ読み込み部７０６に接近させ、印刷装置２００にて再印刷させるシーケンスである。
【００３９】
ＵＩ表示/操作部７０７に不図示であるが存在する"読み取りボタン"がユーザにより押下されると（ステップＳ８０１）、"読み取りボタン"が押されたかどうかの判断を行い（ステップＳ８０２）、ＲＦＩＤ読み込み部７０６からデータの読み出しを行う（ステップＳ８０３）。
【００４０】
その後、読み込みが正常に終了したかどうかの判断を行い（ステップＳ８０４）、読み込みが失敗した場合、ステップＳ８０１のボタン入力に戻り、読み込みが正常に終了した場合、読み込んだデータからオリジナル画像データと印刷設定情報を抽出するために内容解析を行い（ステップＳ８０５）、抽出したオリジナル画像データと印刷設定情報を記憶する（ステップＳ８０６）。また、抽出した印刷設定情報をＵＩ表示/操作部７０７に表示し（ステップＳ７０７）、ユーザにより印刷設定情報を変更するかどうかの入力が行われ（ステップＳ８０８）、印刷設定情報を変更するどうかか判断する（ステップＳ８０９）。
【００４１】
印刷設定情報の変更が無い場合は、図６で説明したステップＳ６０１〜Ｓ６０６と同様な処理を行い（ステップＳ８１０）、給紙トレイ７０１に設置された記録媒体を給紙して（ステップＳ８１１）、画像処理した画像データを印刷する（ステップＳ８１２）。
【００４２】
それに対して、印刷設定情報の変更がある場合は、印刷設定情報を変更する印刷効果が選択入力され（ステップＳ８１３）、その選択入力された印刷効果を判断する（ステップＳ８１４）。選択された変更する印刷効果がトリミングである場合、ユーザによりトリミングのＯＮ、ＯＦＦの入力があったかどうかの判断を行う（ステップＳ８１５、Ｓ８１６）。トリミングのＯＮであれば、印刷設定情報のトリミング効果を有効にし（ステップＳ８１７）、ＯＦＦであれば、印刷設定情報のトリミング効果を無効にし（ステップＳ８１８）、印刷設定情報のトリミング効果を記録する（ステップＳ８１９）。
【００４３】
また、選択された変更する印刷効果が色効果である場合、ユーザに色効果を選択させ（ステップＳ８２０）、選択された入力を判断し（ステップＳ８２１）、選択された色効果が規定値であれば色効果を規定値に設定し（ステップＳ８２２）、選択された色効果が"淡い色"であれば"淡い色"に設定し（ステップＳ８２３）、選択された色効果が"濃い色"であれば"濃い色"に設定し（ステップＳ８２４）、色効果として記録する（ステップＳ８２５）。
【００４４】
印刷設定情報を変更すると印刷設定情報の表示を行い（ステップＳ８０７）、印刷設定情報を変更の入力（ステップＳ８０８）で設定を変更しないと入力したと判断されると（ステップＳ８０９）、図６で説明したステップＳ６０１〜Ｓ６０６と同様な処理を行い（ステップＳ８１０）、給紙トレイ７０１に設置された記録媒体を給紙して（ステップＳ８１１）、画像処理した画像データを印刷する（ステップＳ８１２）。
【００４５】
本実施形態では、読み取りボタン押下（ステップＳ８０１）をトリガーとする印刷シーケンスを説明したが、記録媒体１００が具備するＲＦＩＤタグ１０１を自動検知し、印刷のトリガーとすることも可能である。
【００４６】
なお、本発明の目的は、上述した実施形態の機能を実現するソフトウェアのプログラムコードを記録した記憶媒体を、システム或いは装置に供給し、そのシステム或いは装置のコンピュータ（又はＣＰＵやＭＰＵ）が記憶媒体に格納されたプログラムコードを読み出し実行することによっても、達成されることは言うまでもない。
【００４７】
この場合、記憶媒体から読み出されたプログラムコード自体が上述した実施形態の機能を実現することになり、プログラムコード自体及びそのプログラムコードを記憶した記憶媒体は本発明を構成することになる。
【００４８】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００４９】
また、コンピュータが読み出したプログラムコードを実行することにより、上述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって上述した実施形態の機能が実現される場合も含まれることは言うまでもない。
【００５０】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部又は全部を行い、その処理によって上述した実施形態の機能が実現される場合も含まれることは言うまでもない。
【図面の簡単な説明】
【００５１】
【図１】本発明を適用した印刷用記録媒体を示す図である。
【図２】印刷装置の構成を示すブロック図である。
【図３】デジタルカメラを印刷ホストとした場合の構成例を示す図である。
【図４】デジタルカメラで任意の画像を再生処理し、表示装置に表示された画像を印刷実行する場合のシーケンスを示すフローチャートである。
【図５】トリミングについて説明するための図である。
【図６】印刷装置が画像の印刷とＲＦＩＤタグにオリジナル画像データの書き込みと印刷設定情報を書き込むシーケンスを示すフローチャートである。
【図７】印刷装置の具体的構成例を示す断面図である。
【図８】印刷装置にて再印刷させるシーケンスを示すフローチャートである。
【符号の説明】
【００５２】
１００      記録媒体
１０１      ＲＦＩＤタグ
２００      印刷装置
２０１      ＣＰＵ
２０２      ＲＡＭ
２０３      ＲＯＭ
２０４      印刷部
２０５      ＵＩ表示/操作部
２０６      ＲＦＩＤ書き込み部
２０７      ＲＦＩＤ読み込み部
２０８      通信Ｉ/Ｆ
２０９      印刷ホスト
３００      デジタルカメラ
【図１】
2006082490.tif 000003
【図２】
2006082490.tif 000004
【図３】
2006082490.tif 000005
【図４】
2006082490.tif 000006
【図５】
2006082490.tif 000007
【図６】
2006082490.tif 000008
【図７】
2006082490.tif 000009
【図８】
2006082490.tif 000010